(57)【特許請求の範囲】
【請求項１】
光ピックアップ用のレンズを保持しているレンズホルダを導電性の複数本のワイヤ部材で上下左右に変位可能に支持し、前記レンズホルダは、その周囲に前記レンズの光軸を中心とするようにフォーカシングコイルが巻回されていると共に、トラッキングコイルが設けられている光ヘッドアクチュエータにおいて、
前記レンズホルダの側面に、該レンズホルダと同じ樹脂材料により前記複数本のワイヤ部材に対応させて複数の突起を一体成形し、
各突起には、前記フォーカシングコイルあるいは前記トラッキングコイルの巻線の端部をからげるためのからげ部と、前記ワイヤ部材を挿通可能な穴を持つ挿通部とを設け、
前記巻線の端部を前記からげ部にからげて当該レンズホルダの側面側を半田ディップすることにより前記からげ部にからげられた前記巻線の周囲に半田層を形成し、続いて前記挿通部の穴に前記ワイヤ部材を挿通した後、前記巻線と前記挿通部から突出した部分の前記ワイヤ部材とを半田付けしたことを特徴とする光ヘッドアクチュエータ。
【請求項２】
請求項１記載の光ヘッドアクチュエータにおいて、前記各突起は、前記からげ部を前記レンズホルダ寄りに、前記挿通部をその外側にそれぞれ有していることを特徴とする光ヘッドアクチュエータ。
【請求項３】
請求項２記載の光ヘッドアクチュエータにおいて、前記各突起は、前記挿通部の外側に更にからげ部を有することを特徴とする光ヘッドアクチュエータ。
【発明の詳細な説明】
【０００１】
【発明の属する技術分野】
本発明は光ディスクドライバに設けられる光ヘッドアクチュエータに関し、特に、ピックアップ用のレンズを保持しているレンズホルダの改良に関する。
【０００２】
【従来の技術】
図７を参照して、光ヘッドアクチュエータについて簡単に説明する。図７において、光ヘッドアクチュエータは、対物レンズ５０を保持するホルダとして機能するレンズホルダ４０、上下方向及び左右方向に変位可能となるようにレンズホルダ４０を支持する固定ベースとして機能するアクチュエータベース（図示せず）と、これらに設けられた駆動装置とを備えている。レンズホルダ４０には、その中央部に孔部４０ａが設けられている。
【０００３】
レンズホルダ４０は、支持部材、ここでは４本（２本のみ図示）のサスペンションワイヤ４７により変位可能に支持されている。レンズホルダ４０の上下両面には、その両側縁部寄りの位置にそれぞれサスペンションワイヤ４７を固定するための突部４８（合計４個）が設けられている。
【０００４】
サスペンションワイヤ４７はその一端がダンパベース７０に固定される。すなわち、ダンパベース７０の上面にはサスペンションワイヤ４７を固定するための突部７１が設けられている。ダンパベース７０にはまた、サスペンションワイヤ４７の振動抑制のために半液状の樹脂製制振材を充填したダンパホルダ７２が設けられ、サスペンションワイヤ４７はこの制振材中を通ってレンズホルダ４側に延びている。なお、ダンパベース７０はアクチュエータベースに固定される。
【０００５】
上記のようなレンズホルダ４０、ダンパベース７０に適用するサスペンションワイヤ４７は、導電性の金属でつくられ、突部７１に圧入嵌合させるための穴を持つ取付け片４７−１と、突部４８に圧入嵌合させるための穴を持つ取付け片４７−２とを有する。サスペンションワイヤ４７の先端、すなわち他端側は、レンズホルダ４０の先端寄りまで延長され、この延長部において後述するトラッキングコイル及びフォーカシングコイルの巻線端部と半田付け接続される。これは、サスペンションワイヤ４７は、レンズホルダ４０の支持と、トラッキングコイル及びフォーカシングコイルへ電流を供給する導線として機能させるためである。なお、突部７１と取付け片４７−１及び突部４８と取付け片４７−２とは圧入嵌合後、ＵＶ樹脂材料による接着剤を使用し、紫外線を照射して固化させることで接着される。
【０００６】
図８において、レンズホルダ４０の側面に４つのトラッキングコイル４５ａ，４５ｂ，４５ｃ（１つは図示せず）、フォーカシングコイル１４が形成される。レンズホルダ４０は樹脂製で、その中心部に上下方向に貫かれた穴を有し、この穴に対物レンズ５０を保持するようにしている。
【０００７】
レンズホルダ４０の側面には全周にわたるように凹溝によるフォーカシングコイル受部４０ｂが形成され、フォーカシングコイル１４がこのフォーカシングコイル受部４０ｂに沿って巻回されている。レンズホルダ４０の長手方向の互いに対向する側面の一方には第１及び第２のトラッキングコイル巻枠４１及び４２が突設され、他方には、第３のトラッキングコイル巻枠４３及び第４のトラッキングコイル巻枠（図７参照）が突設されている。第１、第２、及び第３のトラッキングコイル巻枠４１，４２、及び４３及び第４のトラッキングコイル巻枠に、第１、第２、及び第３のトラッキングコイル４５ａ，４５ｂ、及び４５ｃ及び第４のトラッキングコイル（図示せず）が巻回されている。
【０００８】
詳しく言えば、各トラッキングコイル巻枠は、フォーカシングコイル受部４０ｂを形成するために、上下２つの部分巻枠に分割して離間するように形成されている。そして、フォーカシングコイル受部４０ｂにフォーカシングコイル１４を巻回した後、トラッキングコイル巻枠にトラッキングコイルが巻回される。
【０００９】
一方、アクチュエータベースには、重ね合わされたヨーク１１とマグネット１２からなる２組の磁気発生部が立設固定されている。一方の磁気発生部には第１、第２のトラッキングコイル４５ａ，４５ｂが対向しており、他方の磁気発生部には第３のトラッキングコイル４５ｃ及び第４のトラッキングコイルが対向している。
【００１０】
レンズホルダ４０を変位させるための駆動装置は、レンズホルダ４０に構成された第１〜第４のトラッキングコイル及びフォーカシングコイル１４と、アクチュエータベースに設けられたヨーク１１とマグネット１２からなる磁気発生部とによって構成される。この駆動装置によって、レンズホルダ４０はアクチュエータベースに対して、上下方向、すなわちフォーカス方向、及び左右方向、すなわちトラッキング方向に変位可能に構成されている。なお、対物レンズ５０で受光された光信号は、図示しない光の経路を経由して光−電気変換部に導かれる。
【００１１】
【発明が解決しようとする課題】
ところで、上記の光ヘッドアクチュエータにおいては、サスペンションワイヤ４７と第１〜第４のトラッキングコイル及びフォーカシングコイル１４との電気的接続を、次のようにして行っている。すなわち、各コイルの巻線端部をサスペンションワイヤ４７の端部に近い位置まで導出し、巻線端部をサスペンションワイヤ４７の端部に直接半田付けする。このような作業は、各コイルの巻線端部が非常に細いので難しく、半田付け終了後に、アクチュエータベースに組み込む際に、レンズホルダ４０から遊離している部分の巻線端部を他の部材にひっ掛けたりして巻線を切断してしまうことがある。また、サスペンションワイヤ４７は、取付け片４７−１に加えて取付け片４７−２を有するように作らなければならないので、コストアップとなる。
【００１２】
そこで、本発明の課題は、サスペンションワイヤと複数のコイルとの電気的接続を確実にした光ヘッドアクチュエータを提供することにある。
【００１３】
本発明の他の課題は、サスペンションワイヤと複数のコイルとの電気的接続を単純な形状のサスペンションワイヤで実現した光ヘッドアクチュエータを提供することにある。
【００１４】
【課題を解決するための手段】
本発明は、光ピックアップ用のレンズを保持しているレンズホルダを導電性の複数本のワイヤ部材で上下左右に変位可能に支持し、前記レンズホルダは、その周囲に前記レンズの光軸を中心とするようにフォーカシングコイルが巻回されていると共に、トラッキングコイルが設けられている光ヘッドアクチュエータにおいて、前記レンズホルダの側面に、該レンズホルダと同じ樹脂材料により前記複数本のワイヤ部材に対応させて複数の突起を一体成形し、各突起には、前記フォーカシングコイルあるいは前記トラッキングコイルの巻線の端部をからげるためのからげ部と、前記ワイヤ部材を挿通可能な穴を持つ挿通部とを設け、前記巻線の端部を前記からげ部にからげて当該レンズホルダの側面側を半田ディップすることにより前記からげ部にからげられた前記巻線の周囲に半田層を形成し、続いて前記挿通部の穴に前記ワイヤ部材を挿通した後、前記巻線と前記挿通部から突出した部分の前記ワイヤ部材とを半田付けしたことを特徴とする。
【００１５】
なお、前記各突起は、前記からげ部を前記レンズホルダ寄りに、前記挿通部をその外側にそれぞれ有していることが好ましい。
【００１６】
また、前記各突起は、前記挿通部の外側に更にからげ部を有するようにしても良い。
【００１７】
【発明の実施の形態】
図１〜図４を参照して、本発明の好ましい実施の形態について説明する。本形態では、レンズホルダ２０における４本のサスペンションワイヤ２１と対向する側面にそれぞれ、サスペンションワイヤ２１に対応させて４つの突起２２を設けている。各突起２２は、フォーカシングコイル２４あるいは４つのトラッキングコイル２５ａ〜２５ｄの巻線の端部をからげるためのからげ部２２−１と、サスペンションワイヤ２１を挿通可能な穴２２−２ａを持つ挿通部２２−２とを有する。特に、からげ部２２−１をレンズホルダ２０寄りに、挿通部２２−２をその外側にそれぞれ設けている。また、各突起２２は、レンズホルダ２０と同じ樹脂材料で一体成形されている。なお、４つのトラッキングコイル２５ａ〜２５ｄは直列に接続されるので、その巻線の端部は２本である。また、フォーカシングコイル２４の巻線の端部も２本である。したがって、フォーカシングコイル２４とトラッキングコイル２５ａ〜２５ｄに通電するためには、合計４つのからげ部があれば良い。
【００１８】
サスペンションワイヤ２１を各コイルの巻線端部と電気的に接続するまでの工程について説明する。図８と同様の構造にて、レンズホルダ２０の周囲にフォーカシングコイル２４と４つのトラッキングコイル２５ａ〜２５ｄとを巻回する。そして、各コイルの巻線端部をからげ部２２−１にからげる。次に、レンズホルダ２０の側面側を半田ディップすることにより、からげ部２２−１にからげた巻線の周囲に半田層を形成する。続いて、挿通部２２−２の穴２２−２ａにサスペンションワイヤ２１を挿通し、穴２２−２ａから突き出た部分のサスペンションワイヤ２１とからげ部２２−１にからげた巻線との半田付け接続を行う。ここで、あらかじめ、からげ部２２−１にからげた巻線の周囲に半田層が形成されているので、サスペンションワイヤ２１とからげ部２２−１にからげた巻線との間の半田付け接続を容易かつ良好に行うことができる。
【００１９】
図４には、サスペンションワイヤ２１とからげ部２２−１にからげた巻線との間の半田付け接続後の状態を拡大して示す。図４からも明らかなように、各コイルから導出された巻線の端部は、レンズホルダ２０の側面に沿ってからげ部２２−１に至り、からげられるので他の部材にひっ掛かるようなことは無い。
【００２０】
図５は、上記のように構成したレンズホルダ２０を、図７で説明したようなダンパベース３０を用いてアクチュエータフレーム３５に組み付けた状態を示している。
【００２１】
図６は、本発明の他の形態を示し、突起２２の挿通部２２−２のの外側に更に、からげ部２２−３を形成した例である。このからげ部２２−３にも各コイルの巻線の端部がからげられる。すなわち、巻線の端部をはじめにからげ部２２−１にからげ、更に、残りをからげ部２２−３にからげる。半田ディップは両方のからげ部にからげられた巻線に対して行われる。このようにすると、サスペンションワイヤ２１の半田付け接続箇所は、その両側の巻線のからげ部に半田層が形成されているので、図４の例に比べて更に大きな機械的強度を得ることができる。
【００２２】
また、いずれの形態においても、突起２２における接続にはＵＶ樹脂材料による接着は不要であり、紫外線照射による固化時間が不要となるので、作業時間の短縮を図ることができる。
【００２３】
【発明の効果】
本発明による光ヘッドアクチュエータは、取付け片の少ない単純な形状のサスペンションワイヤを用いて、トラッキングコイル及びフォーカシングコイルとの電気接続を容易かつ良好に行うことができる。また、サスペンションワイヤとトラッキングコイル及びフォーカシングコイルとの接続は、半田付けだけで行われ、ＵＶ樹脂による接着は不要であるので、紫外線照射による固化のための時間が不要となり、作業時間の短縮を図ることができる。
【図面の簡単な説明】
【図１】本発明による光ヘッドアクチュエータのレンズホルダをサスペンションワイヤと共に示した平面図である。
【図２】図１のレンズホルダの側面図である。
【図３】図１のレンズホルダの正面図である。
【図４】図１に示されたＡ部におけるサスペンションワイヤの電気的接続を説明するための部分拡大図である。
【図５】図１に示したレンズホルダをアクチュエータフレームに組み付けた状態を示す平面図である。
【図６】本発明の他の実施の形態による突起におけるサスペンションワイヤの電気的接続を説明するための部分拡大図である。
【図７】従来の光ヘッドアクチュエータにおけるレンズホルダを説明するための平面図である。
【図８】図７に示されているレンズホルダの概略斜視図である。
【符号の説明】
２０、４０    レンズホルダ
２１、４７    サスペンションワイヤ
２２    突起
２２−１    からげ部
２２−２    挿通部
２５ａ〜２５ｄ    トラッキングコイル
１４、２４    フォーカシングコイル
４１，４２，４３，４４    第１〜第４のトラッキングコイル巻枠
４５ａ，４５ｂ，４５ｃ    第１〜第３のトラッキングコイル
５０    対物レンズ
【図１】
0003675611.tif 000002
【図２】
0003675611.tif 000003
【図３】
0003675611.tif 000004
【図４】
0003675611.tif 000005
【図５】
0003675611.tif 000006
【図６】
0003675611.tif 000007
【図７】
0003675611.tif 000008
【図８】
0003675611.tif 000009